(57)【要約】【課題】  片足釣り糸ガイドのフレームを釣り竿に対して安定的に支持することが可能な簡易な構造の釣り竿の片足釣り糸ガイド構造を提供する。【解決手段】  釣り糸を案内するためのセンターリング(22)を挿設したフレーム(24)と該フレームと所定の角度で折り曲げた折曲部(28)を延長形成して釣り竿と面接させて前記フレームを支持固定する支持台(26)からなる釣り竿の片足糸巻釣り糸ガイドにおいて、前記折曲部をパンチングして釣り竿に接する支持受け(30)を下側に突出形成することによりフレームに支持されるようにすることを特徴とする。 【選択図】  図 ４ 【実用新案登録請求の範囲】
【請求項１】
釣り糸を案内するためのセンターリング（２２）を挿設したフレーム（２４）と、該フレームを所定の角度で折り曲げた折曲部（２８）から延長形成され、釣り竿（１０）と面接することで前記フレームを支持固定する支持台（２６）とからなる釣り竿の片足釣り糸ガイド（２０）において、
前記折曲部が、支持受け（３０）を突出形成して前記釣り竿に接することにより前記フレームを支持する、ことを特徴とする釣り竿の片足釣り糸ガイド構造。
【請求項２】
前記屈曲部（２８）は、フレーム（２４）を、前記支持受け（３０）を基準に両側から上向くように所定の角度で折り曲がって支持する、ことを特徴とする請求項１に記載の釣り竿の片足釣り糸ガイド構造。
【請求項３】
前記フレーム（２４）には、前記支持受け（３０）の上部に貫通孔（４２）が設けられている、ことを特徴とする請求項１または請求項２に記載の釣り竿の片足釣り糸ガイド構造。
【考案の詳細な説明】
【技術分野】
【０００１】
本考案は、釣り竿の片足釣り糸ガイド構造に関するものである。より詳細には、片足釣り糸ガイドのフレームを釣り竿に対して安定的に支持するために、ガイドの曲がった折曲部をパンチングして釣り竿と接する支持受けを形成することによって、簡単な工程で釣り糸ガイドを支持すると共に製造費用を減らすことができる釣り竿の片足釣り糸ガイド構造に関するものである。
【背景技術】
【０００２】
一般的に、釣り竿は長さ方向に多数の釣り糸ガイドを具備している。
この釣り糸ガイドは、フレームにセンターリングを挿設して釣り糸を案内し、フレームの下部で支持台を一体に延長形成して釣り竿に固定するように形成されている。
【０００３】
一方、日本特開平０８−２５２０４０号では、フレームの一部に突出部位を形成して、片足釣り糸ガイドの外部衝撃を吸収する構造が提示されている。また、日本特開平１０−３１３７４４号では、片足釣り糸ガイドの脆弱部分を補強するための構造物を装着する構造が提案されている。
【０００４】
さらに、日本特開平１１−００００８４号では、片足釣り糸ガイドを釣り竿に付着する時に脆弱部分を補完して釣り竿に釣り糸ガイドを固定する構造が提案されており、日本特開２００１−０９５４３３号では、釣り竿製造時に片足釣り糸ガイドの脆弱部分を補強するために釣り竿に突出部分を形成してガイドを付着することにより片足ガイドの脆弱部分を補完する構造が提案されている。
【０００５】
また、日本実公昭５１−００４２３８号では、片足釣り糸ガイドのフレーム反対側に一部突出部位を形成して片足釣り糸ガイドの脆弱部分を改善する構造が提示されている。
【０００６】
そして、日本意匠登録公報第４２６５７６号類似意匠２４と２５と日本意匠公報第７９５９３３号及び類似意匠１では、釣り竿固定部位のフレームを反対側と連結して突出する形状が提案されており、日本意匠登録公報第１１２９５８２号では使用状態参考図で片足釣り糸ガイド片側に外部衝撃保護用補助突出部位を形成することが提案されている。
【０００７】
しかし従来の釣り糸ガイドは、釣り竿に支持された際に揺動しないようにするために、釣り竿との受け支え部位に別個の部材を形成したり、または釣り竿の外周縁を変形して釣り糸ガイドを支持するように構成しており、製作上の複雑さと共に製造費用の上昇をもたらす問題点があった。
【特許文献１】特開平０８−２５２０４０号
【特許文献２】特開平１０−３１３７４４号
【特許文献３】特開平１１−００００８４号
【特許文献４】特開２００１−０９５４３３号
【特許文献５】実公昭５１−００４２３８号
【考案の開示】
【考案が解決しようとする課題】
【０００８】
本考案は、上記のような問題点を解決するために案出されたものである。すなわち本考案は、釣り竿と接する受け支え部に該当する部位をパンチングにより突出させた突出部により、釣り糸ガイドを釣り竿に支持するようにして、釣り糸ガイドの揺れを防止して釣り糸ガイドを釣り竿に簡単に固定することができ、また、それによる製造費用を節減できる釣り竿の片足釣り糸ガイド構造を提供することを目的とする。 
【課題を解決するための手段】
【０００９】
上記の目的を達成するための本考案は、釣り糸を案内するためのセンターリング（２２）を挿設したフレーム（２４）と、該フレームを所定の角度で折り曲げた折曲部（２８）から延長形成され、釣り竿（１０）と面接することで前記フレームを支持固定する支持台（２６）とからなる釣り竿の片足釣り糸ガイド（２０）において、前記折曲部は、支持受け（３０）を突出形成して釣り竿に接することによりフレームを支持する釣り竿の片足釣り糸ガイド構造を提供する。
【００１０】
また、前記屈曲部（２８）は、フレーム（２４）を、前記支持受け（３０）を基準に両側から上向くように所定の角度で折り曲がって支持する、釣り竿の片足釣り糸ガイド構造を提供する。
【００１１】
また、前記フレーム（２４）には、前記支持受け（３０）の上部に貫通孔（４２）が設けられている釣り竿の片足釣り糸ガイド構造を提供する。
【考案の効果】
【００１２】
前記のように本考案の釣り竿の釣り糸片足ガイド構造は、センターリングを挿着したフレームの下部をパンチングして支持台と共に釣り竿に支持するようにすることにより、フレームを堅固に固定することができ、簡単な構造で釣り糸ガイドを釣り竿に固定できると共に製造費用を節減できる効果がある。
【考案を実施するための最良の形態】
【００１３】
以下、本考案の構成を添付した図面を参照しながらさらに詳細に説明する。
【００１４】
図１は、本考案の一実施態様による釣り糸ガイドの設置状態を示した斜視図である。図２は、図１の要部拡大図で、図３は、図１の側断面図である。 
【００１５】
そして、図４は、本考案の他の実施態様による釣り糸ガイドの設置状態を示した斜視図で、図５は図４の要部拡大図で、図６は図４の側断面図である。 
【００１６】
図１乃至図３に図示したように、釣り竿１０には長さ方向に多数個の釣り糸ガイド２０が固定付着されている。
【００１７】
ここで、本考案の一実施態様による釣り糸ガイド２０は、片足釣り糸ガイドを指し示している。
【００１８】
そして、釣り糸ガイド２０は、釣り糸を挿入して案内するセンターリング２２を挿着したフレーム２４と、フレーム２４から延長され釣り竿１０に固定される支持台２６とからなる。
【００１９】
支持台２６とフレーム２４の間には、支持台２６に対してフレーム２４を所定角度で折り曲げた折曲部２８が形成されている。
【００２０】
一方、折曲部２８は、支持受け３０が外側に突出するように形成されている。
【００２１】
即ち、折曲部２８の中央をパンチング装置(未図示)でパンチングして陥没させると底面が下側に突出して支持受け３０が形成される。ここで支持受け３０は、釣り竿１０に適切に接するように形成される。
【００２２】
また、支持受け３０を形成するためにパンチングされた折曲部２８は、上側が陥没することにより、一部が折り曲げられたフレーム２４が釣り糸の張力により外側に撓まないようにする。
【００２３】
そして、支持受け３０は、釣り竿１０に接してフレーム２４を支持することにより、釣り糸ガイド２０は、両足形態の釣り糸ガイドと比しても遜色のない強度を得ることになる。 
【００２４】
図４乃至図６に図示したように、本考案のまた他の実施態様による釣り糸ガイド２０は、センターリング２２を形成したフレーム２４と、フレーム２４から延長した支持台２６とからなる。
【００２５】
フレーム２４と支持台２６の連結部位には、折曲部２８が形成され、フレームと支持台とは相互に所定の角度をなして折り曲げられている。
【００２６】
ここで図示したフレーム２４は、センターリング２２の下部から支持台２６までの距離が比較的長い場合である。
【００２７】
そして、フレーム２４の下部には、貫通孔４２が形成されている。
【００２８】
貫通孔４２は、センターリングの下部から折曲部２８にかけて形成される。
【００２９】
すなわち、支持台２６と隣接した貫通孔４２の下部に位置する折曲部２８の中央をパンチング装置(未図示)でパンチングして陥没させると底面が下側に突出して支持受け４０が形成される。支持受け４０を釣り竿１０に接するように形成される。
【００３０】
したがって、フレーム２４が釣り竿１０に安定的に接して、釣り糸の張力により簡単に撓まないようになる。
【００３１】
また、貫通孔４２の両側の縁をなしているフレーム２４は、内側に折り曲げられることにより、フレームをさらに堅固に固定する。
【００３２】
このように本考案によれば、センターリングを挿着したフレームの下部をパンチングして支持台と共に釣り竿に支持するようにしたことにより、フレームの撓みを防止して堅固に釣り糸ガイドを釣り竿に固定することができる簡単な構造で製造費用も少ない釣り竿の釣り糸片足ガイド構造が提供される。
【図面の簡単な説明】
【００３３】
【図１】本考案の一実施態様におけるガイドの設置状態を示した斜視図である。
【図２】図１の要部拡大図である。
【図３】図１の側断面図である。
【図４】本考案の他の実施態様におけるガイドの設置状態を示した斜視図である。
【図５】図４の要部拡大図である。
【図６】図４の側断面図である。
【符号の説明】
【００３４】
１０  ： 釣り竿
２０  ： ガイド 
２２  ： センターリング
２４  ： フレーム 
２６  ： 支持台
２８  ： 折曲部 
３０，４０  ： 支持受け
４２  ： 貫通孔
【図１】
0003107247.tif 000002
【図２】
0003107247.tif 000003
【図３】
0003107247.tif 000004
【図４】
0003107247.tif 000005
【図５】
0003107247.tif 000006
【図６】
0003107247.tif 000007